(57)【要約】【課題】低周波数除湿運転時において室内熱交換機の蒸発温度を安定化させる。【解決手段】空気調和機は、圧縮機(５),四方弁(６),室外熱交換器(７),減圧機構(８),室内熱交換器(４)および上記四方弁(６)を、この順序で冷媒管によって接続してなる冷媒回路と、上記冷媒回路における上記膨張弁(８)の下流側に設置されて、冷媒の蒸発温度を検知する蒸発温度センサ(１５)とを備え、上記蒸発温度センサ(１５)によって検知された蒸発温度が、目標蒸発温度になるように上記膨張弁(８)の開度を制御することによって、上記室内熱交換器(４)の一部に除湿負荷に応じた蒸発域を形成する除湿運転を行う除湿運転制御部(１４)と、上記除湿運転時において、上記圧縮機(５)の運転周波数(Ｆ)が予め設定された基準周波数(Ｆ0)以下になると、上記目標蒸発温度に補正値を加算する目標蒸発温度補正部(１４)とを備えている。【選択図】図１
2016085016.tif 000002
【特許請求の範囲】
【請求項１】
圧縮機(５),四方弁(６),室外熱交換器(７),減圧機構(８),室内熱交換器(４)および上記四方弁(６)を、この順序で冷媒管によって接続してなる冷媒回路と、
上記冷媒回路における上記膨張弁(８)の下流側に設置されて、冷媒の蒸発温度を検知する蒸発温度センサ(１５)と
を備え、
上記蒸発温度センサ(１５)によって検知された蒸発温度が、目標蒸発温度になるように上記膨張弁(８)の開度を制御することによって、上記室内熱交換器(４)の一部に除湿負荷に応じた蒸発域を形成する除湿運転を行う除湿運転制御部(１４)と、
上記除湿運転時において、上記圧縮機(５)の運転周波数(Ｆ)が予め設定された基準周波数(Ｆ0)以下になると、上記目標蒸発温度に補正値を加算する目標蒸発温度補正部(１４)と
を備えたことを特徴とする空気調和機。
【請求項２】
請求項１に記載の空気調和機において、
室内温度を検知する室内温度センサ(１６)を備えて、
上記目標蒸発温度補正部(１４)は、上記室内温度センサ(１６)によって検知された室内温度(Ｔin)が予め設定された基準室内温度(Ｔ1)以下になった場合に、上記目標蒸発温度に上記補正値を加算するようになっている
ことを特徴とする空気調和機。
【請求項３】
請求項１または請求項２に記載の空気調和機において、
室外温度を検知する室外温度センサ(１８)を備えて、
上記目標蒸発温度補正部(１４)は、上記室外温度センサ(１８)によって検知された室外温度(Ｔout)が予め設定された基準室外温度(Ｔ2)以上になった場合に、上記目標蒸発温度に上記補正値を加算するようになっている
ことを特徴とする空気調和機。
【請求項４】
請求項１から請求項３までの何れか一つに記載の空気調和機において、
室内雰囲気の湿度を検知する湿度センサ(１９)を備えて、
上記目標蒸発温度補正部(１４)は、上記湿度センサ(１９)によって検知された室内雰囲気の湿度(Ｈ)に応じて、上記補正値を変更する補正値変更部を含んでいる
ことを特徴とする空気調和機。
【発明の詳細な説明】
【技術分野】
【０００１】
この発明は、除湿運転が可能な空気調和機に関する。
【背景技術】
【０００２】
除湿運転が可能な空気調和機として、特開２０１３‐２２１６７１号公報に開示された空気調和機がある。この空気調和機においては、室内熱交換器を補助熱交換器とこの補助熱交換器の風下側に配置された主熱交換器とで構成している。そして、除湿運転が行われている場合には、上記補助熱交換器に供給された冷媒は、上記補助熱交換器内で総て蒸発し、上記補助熱交換器における上流側の一部が蒸発域となり、この蒸発域の下流側が過熱域となる。
【０００３】
上記構成において、上記除湿運転開始時に負荷が大きい場合には、圧縮機周波数は所定周波数より大きく、且つ蒸発温度は所定温度より低いため、冷房運転でも除湿が可能である。そこで、除湿運転ではなく冷房運転を行って、効率よく除湿と冷房とを同時に行う。そして、室内温度が低下して負荷が小さくなると、圧縮機周波数は上記所定周波数より小さく、且つ蒸発温度は上記所定温度より高くなり、除湿ができなくなる。そこで、その場合には、除湿運転に切り換える。こうして、除湿運転のためのＣＯＰ悪化の影響を最小限にしている。
【先行技術文献】
【特許文献】
【０００４】
【特許文献１】特開２０１３‐２２１６７１号公報
【発明の概要】
【発明が解決しようとする課題】
【０００５】
しかしながら、上記特許文献１に開示された従来の空気調和機においては、以下のような問題がある。
【０００６】
すなわち、上記従来の空気調和機では、上記除湿運転時において、上記負荷が小さい場合には、上記圧縮機は低周波数で運転される。そして、上記膨張弁の開度が、上記室内熱交換機の蒸発温度が露点温度以下になるようにパルスモータによって制御される。その場合、上述したように、上記負荷が小さい場合には、圧縮機は低周波で運転されるため、冷媒の流量は少なく、上記膨張弁は絞った状態で制御される。そのため、上記パルスモータによって１パルス絞っただけで露点温度以下の目標温度を越えて低下し、１パルス開けただけで上記目標温度を越えて上昇して、所謂ハンチングを起こしてしまう。結果的に、上記蒸発温度が安定化しないという問題がある。
【０００７】
そこで、この発明の課題は、室内熱交換器の一部を蒸発域とする低周波数除湿運転時において、室内熱交換機の蒸発温度を安定化できる空気調和機を提供することにある。
【課題を解決するための手段】
【０００８】
上記課題を解決するため、この発明の空気調和機は、
圧縮機,四方弁,室外熱交換器,減圧機構,室内熱交換器および上記四方弁を、この順序で冷媒管によって接続してなる冷媒回路と、
上記冷媒回路における上記膨張弁の下流側に設置されて、冷媒の蒸発温度を検知する蒸発温度センサと
を備え、
上記蒸発温度センサによって検知された蒸発温度が、目標蒸発温度になるように上記膨張弁の開度を制御することによって、上記室内熱交換器の一部に除湿負荷に応じた蒸発域を形成する除湿運転を行う除湿運転制御部と、
上記除湿運転時において、上記圧縮機の運転周波数が予め設定された基準周波数以下になると、上記目標蒸発温度に補正値を加算する目標蒸発温度補正部と
を備えたことを特徴としている。
【０００９】
上記構成によれば、上記除湿運転時において、上記除湿運転制御部によって、上記蒸発温度が目標蒸発温度になるように上記膨張弁の開度が制御される。その際に、上記目標蒸発温度補正部によって、上記圧縮機の運転周波数が上記基準周波数以下になると、上記目標蒸発温度に上記補正値が加算される。
【００１０】
したがって、上記圧縮機の運転周波数が上記基準周波数以下であって冷媒の流量が少ない場合には、上記膨張弁の開度が上記補正前よりも開き気味に制御されて冷媒の流量が増加される。その結果、上記膨張弁の開度制御時にハンチングが発生するのを抑制し、上記室内熱交換機の蒸発温度を安定化させることが可能になる。
【００１１】
また、一実施の形態の空気調和機では、
室内温度を検知する室内温度センサを備えて、
上記目標蒸発温度補正部は、上記室内温度センサによって検知された室内温度が予め設定された基準室内温度以下になった場合に、上記目標蒸発温度に上記補正値を加算するようになっている。
【００１２】
この実施の形態によれば、上記室内温度が上記基準室内温度以下になった場合、つまり室内温度が低く外気温度との温度差が開いて冷媒の流量が少なく、上記膨張弁が絞られた状態の場合に、上記目標蒸発温度に上記補正値を加算するようにしている。したがって、上記膨張弁の開度が上記補正前よりも開き気味に制御されて冷媒の流量が増加され、上記室内熱交換器の一部に蒸発域を容易に形成することができる。その結果、上記膨張弁の開度制御時にハンチングが発生するのを抑制することできる。
【００１３】
また、一実施の形態の空気調和機では、
室外温度を検知する室外温度センサを備えて、
上記目標蒸発温度補正部は、上記室外温度センサによって検知された室外温度が予め設定された基準室外温度以上になった場合に、上記目標蒸発温度に上記補正値を加算するようになっている。
【００１４】
この実施の形態によれば、上記室外温度が上記基準室外温度以上になった場合、つまり室外温度が高く室内温度との温度差が開いて冷媒の流量が少なく、上記膨張弁が絞られた状態の場合に、上記目標蒸発温度に上記補正値を加算するようにしている。したがって、上記膨張弁の開度が上記補正前よりも開き気味に制御されて冷媒の流量が増加され、上記室内熱交換器の一部に蒸発域を容易に形成することができる。その結果、上記膨張弁の開度制御時にハンチングが発生するのを抑制することできる。
【００１５】
また、一実施の形態の空気調和機では、
室内雰囲気の湿度を検知する湿度センサを備えて、
上記目標蒸発温度補正部は、上記湿度センサによって検知された室内雰囲気の湿度に応じて、上記補正値を変更する補正値変更部を含んでいる。
【００１６】
室内雰囲気の湿度が高い場合には冷媒の露点温度も高まり、室内雰囲気の湿度が低い場合には冷媒の露点温度も低まる。
【００１７】
この実施の形態によれば、上記補正値変更部によって、室内雰囲気の湿度に応じて上記補正値を変更するので、上記湿度が高い場合には上記補正値を大きくして、冷媒の流量をさらに上げて上記膨張弁の開度制御時のハンチングを効果的に防止できる。さらに、上記湿度が低い場合には上記補正値を小さくして、上記蒸発温度が露点温度を超えることを防止できる。
【発明の効果】
【００１８】
以上より明らかなように、この発明の空気調和機は、除湿運転時において、除湿運転制御部によって、冷媒の蒸発温度が目標蒸発温度になるように膨張弁の開度を制御する。その際に、目標蒸発温度補正部によって、圧縮機の運転周波数が基準周波数以下になると、上記目標蒸発温度に補正値を加算するようにしている。
【００１９】
したがって、上記圧縮機の運転周波数が上記基準周波数以下であって冷媒の流量が少ない場合には、上記膨張弁の開度が上記補正前よりも開き気味に制御されて冷媒の流量が増加される。その結果、上記膨張弁の開度制御時にハンチングが発生するのを抑制し、上記室内熱交換機の蒸発温度を安定化させることが可能になる。
【図面の簡単な説明】
【００２０】
【図１】この発明の空気調和機における冷媒回路図である。
【図２】図１の室内機における断面図である。
【図３】図１の制御装置に接続される周辺機器を示す図である。
【図４】目標蒸発温度補正処理動作のフローチャートである。
【図５】図４に続くフローチャートである。
【発明を実施するための形態】
【００２１】
以下、この発明を図示の実施の形態により詳細に説明する。図１は、本実施の形態の空気調和機における冷媒回路図である。
【００２２】
図１に示すように、この発明の空気調和機１は、室内に設置される室内機２と、室外に設置される室外機３とを備えている。そして、室内機２には、室内熱交換器４が搭載されている。また、室外機３には、圧縮機５,四方弁６,室外熱交換器７および上記減圧機構の一例としての膨張弁８が搭載されている。そして、圧縮機５と、四方弁６と、室外熱交換器７と、膨張弁８と、室内熱交換器４と、上記四方弁６とが、この順序で冷媒管によって接続されて、冷媒回路を構成している。
【００２３】
上記冷媒回路において、上記圧縮機５の吐出口に、四方弁６を介して室外熱交換器７が接続される一方、室内熱交換器４には四方弁６を介して圧縮機５の吸込口が接続されている。また、室内熱交換器４は、補助熱交換器９と主熱交換器１０とを含んでいる。
【００２４】
上記構成の空気調和機１は、運転モードとして、冷房運転モード,除湿運転モードおよび暖房運転モードが、リモコン(図示せず)によって設定可能になっている。さらに、上記リモコンは、上記運転モードの切換や運転停止や室内温度設定や室内ファンの回転数設定等を行うことができる。
【００２５】
上記冷房運転モードおよび上記除湿運転モードにおいては、実線の矢印で示すように、圧縮機５から吐出された冷媒が、四方弁６から室外熱交換器７,膨張弁８,補助熱交換器９および主熱交換器１０に順次に流れ、四方弁６を通って圧縮機５に戻る冷房サイクルまたは除湿サイクルが実行される。すなわち、室外熱交換器７が凝縮器として機能する一方、室内熱交換器４(補助熱交換器９および主熱交換器１０)が蒸発器として機能する。
【００２６】
これに対し、上記暖房運転モードにおいては、四方弁６が切換わって、破線の矢印で示すように、圧縮機５から吐出された冷媒が、四方弁６から主熱交換器１０,補助熱交換器９,膨張弁８および室外熱交換器７へと順に流れ、四方弁６を通って圧縮機５に戻る暖房サイクルが実行される。すなわち、室内熱交換器４(補助熱交換器９および主熱交換器１０)が凝縮器として機能する一方、室外熱交換器７が蒸発器として機能する。
【００２７】
図２は、上記室内機２の断面図である。図２に示すように、室内機２内には、クロスフローファンで成る室内ファン１１が配置されている。また、主熱交換器１０は、室内機２の前面側に配置された前面熱交換器１０aと、室内機２の背面側に配置された背面熱交換器１０bとを含んでいる。そして、この前面熱交換器１０aと背面熱交換器１０bとは、室内ファン１１に覆い被さるように逆Ｖ字状に配置されている。また、補助熱交換器９が、前面熱交換器１０aの前方に配置されている。
【００２８】
上記室内ファン１１の回転によって、室内機２の上面に設けられた吸込口１２から吸込まれた室内空気が、室内機２の前側において、補助熱交換器９と主熱交換器１０の前面熱交換器１０aとを通って室内ファン１１側に流れる。一方、室内機２の背面側において、吸込口１２からの吸込み空気は、主熱交換器１０の背面熱交換器１０bを通って室内ファン１１側に流れる。そして、室内ファン１１を通った上記両側からの空気は、室内機２の前面下部に設けられた吹出口１３から、室内に吹き出される。
【００２９】
上記冷房運転モード時および上記除湿運転モード時には、補助熱交換器９における熱交換パイプ(図示せず)の一端から供給された液冷媒は上記熱交換パイプの他端から排出されて、分岐部(図示せず)によって３方向に分岐される。そして、上記分岐部によって分岐された冷媒は、夫々、主熱交換器１０を構成する２つの前面熱交換器１０aと１つの背面熱交換器１０bとにおける熱交換パイプ(図示せず)の一端に供給される。そして、上記各熱交換パイプの他端から排出された冷媒は、合流部(図示せず)によって合流されて、四方弁６に戻される。
【００３０】
そして、上記室内機２の吸込口１２からの吸込空気のうち、補助熱交換器９の蒸発域で冷却されて除湿された空気は、前面熱交換器１０aで加熱されて、吹出口１３から吹き出される。一方、補助熱交換器９の過熱域および前面熱交換器１０aを通過した空気と、背面熱交換器１０bを通過した空気とは、室内温度と略同一の温度で、吹出口１３から吹き出される。その結果、吹き出し空気が寒くなるのを防止し、且つ上記蒸発域で除湿することができるのである。
【００３１】
尚、上記暖房運転モードには、上述とは反対方向に冷媒が流れる。
【００３２】
図１に示すように、上記室外機３には、空気調和機１の各種動作を制御する制御装置１４が搭載されている。図３に示すように、制御装置１４には、圧縮機５,四方弁６,膨張弁８,室内ファン１１のファンモータ１１a,蒸発温度センサ１５,室内温度センサ１６,室内熱交換器温度センサ１７,室外温度センサ１８および湿度センサ１９が接続されている。但し、圧縮機５,四方弁６,膨張弁８およびファンモータ１１aに関して、実際には、その駆動部が接続されている。そして、制御装置１４はＣＰＵ(中央演算装置)や記憶部を含んでおり、リモコン２０からの指令(運転開始指令や室内温度設定指令等)や、蒸発温度センサ１５で検知された蒸発温度や、室内温度センサ１６で検知された室内温度(吸込空気温度)や、室内熱交換器温度センサ１７で検知された熱交換器中間温度や、室外温度センサ１８で検知された室外温度や、湿度センサ１９で検知された室内の湿度に基づいて、演算処理や判断処理を行って空気調和機１の運転を制御する。
【００３３】
すなわち、本実施の形態においては、上記除湿運転制御部および上記目標蒸発温度補正部を、制御装置１４によって構成するのである。
【００３４】
ここで、上記蒸発温度センサ１５は、膨張弁１３の下流側の冷媒管に設置されて、蒸発温度を検知する。室内温度センサ１６は、室内機２の吸込口１２近傍に設置されて、吸込口１２からの吸込空気の温度を検知する。室内熱交換器温度センサ１７は、補助熱交換器９の上端近くの風下側に配置されて、補助熱交換器９において液冷媒の蒸発が終了したことを検知する。室外温度センサ１８は、室外機３内に配置されて、室外温度を検知する。湿度センサ１９は、室内機２に配置されて、室内雰囲気の湿度を検知する。
【００３５】
上記除湿運転モード時においては、補助熱交換器９に供給された液冷媒は、補助熱交換器９の途中で総て蒸発するようにする。したがって、補助熱交換器９における液冷媒入口近くの一部の範囲だけが蒸発域であり、補助熱交換器９における上記蒸発域の下流側の範囲と主熱交換器１０とは過熱域である。
【００３６】
そして、上記蒸発域の範囲が、負荷に応じて変化するように、圧縮機５および膨張弁８が制御される。ここで、負荷は必要除湿能力(必要冷房能力)であり、例えば室内温度(吸込口１２からの吸込空気温度)と設定温度との差によって検知できる。
【００３７】
上記圧縮機５は、上記負荷(上記室内温度と設定温度との差)に基づいて制御される。すなわち、上記負荷が大きい場合には圧縮機５の運転周波数(以下、単に周波数と言う)が増加される。一方、上記負荷が小さい場合には圧縮機５の周波数が減少される。
【００３８】
上記膨張弁８は、上記蒸発温度センサ１５で検知された蒸発温度が制御装置１４で演算される目標蒸発温度になるように制御される。ここで、上記目標蒸発温度は、冷媒の露点温度よりもマージン分だけ低い温度に設定されている。例えば、露点温度が１８℃の場合には、８℃のマージンを付けて、上記目標蒸発温度が１０℃に設定される。
【００３９】
そして、上述したようにして上記圧縮機５の周波数が制御された状態において、上記蒸発温度が目標蒸発温度(例えば１０℃)になるように、膨張弁８の開度が制御される。この目標蒸発温度は、圧縮機１０の周波数によらず一定に制御されるのが好ましい。
【００４０】
こうして、上記圧縮機５の周波数と膨張弁８の開度とを、目標蒸発温度(例えば１０℃)になるように制御することによって、補助熱交換器９における上記蒸発域の範囲を上記負荷に応じて変化させることができ、圧縮機５の周波数が低周波数であっても除湿することができるのである。
【００４１】
ところで、上記除湿運転モード時において、上記負荷(上記室内温度と設定温度との差)が小さい場合には圧縮機５の周波数が減少されるため、冷媒の流量が少ない状態で膨張弁８の開度制御を行うことになる。そのため、膨張弁８駆動用のパルスモータ(図示せず)を１パルス開いただけで上記蒸発温度が上記目標蒸発温度を上回り、逆に１パルス絞っただけで上記蒸発温度が上記目標蒸発温度を下回って、所謂ハンチングが起こる場合がある。その場合には、上記蒸発温度が安定せず、除湿もできない。
【００４２】
そこで、本実施の形態においては、以下のようにして、上記負荷が小さく圧縮機５の周波数が低い場合であっても上記蒸発温度の安定化を図り、安定して除湿ができるようにする。
【００４３】
上述したように、上記膨張弁８の開度制御の際における上記目標蒸発温度は、冷媒の露点温度からマージン分だけ低い温度に設定されている。そこで、圧縮機５の周波数がある値を超えて低下した場合に限り、上記目標蒸発温度の上記マージンを減らして、上記目標蒸発温度を高めに補正する。こうして、膨張弁８を開き気味に制御して冷媒の流量を増やすことによって、上記パルスモータによる膨張弁８の開度制御を容易にするのである。
【００４４】
図４および図５は、上記制御装置１４の制御の下に実行される目標蒸発温度補正処理動作のフローチャートである。以下、図４および図５に従って、目標蒸発温度補正処理動作について説明する。リモコン２０から除湿運転が指令されると、目標蒸発温度補正処理動作がスタートする。
【００４５】
ステップＳ1で、上記圧縮機５の周波数Ｆが、基準周波数Ｆ0以下であるか否かが判別される。ここで、基準周波数Ｆ0は、例えば６Ｈzである。その結果、基準周波数Ｆ0以下の場合にはステップＳ2に進む。ステップＳ2で、室内温度センサ１６からの検知信号に基づいて、室内温度Ｔinが第１基準温度Ｔ1以下であるか否かが判別される。その結果、第１基準温度Ｔ1以下である場合にはステップＳ3に進む。一方、そうでなければ上記ステップＳ1にリターンする。ステップＳ3で、室外温度センサ１８からの検知信号に基づいて、室外温度Ｔoutが第２基準温度Ｔ2(＞Ｔ1)以上であるか否かが判別される。その結果、第２基準温度Ｔ2以上である場合にはステップＳ4に進む。一方、そうでなければ上記ステップＳ1にリターンする。
【００４６】
ここで、上記目標蒸発温度に補正を加えるか否かの判断に、室内温度Ｔinおよび室外温度Ｔoutを加味するのは、以下の理由による。すなわち、外気温度が高く、且つ室内温度が低い場合には、冷媒の流量が少なく、膨張弁８が絞られた状態になる。その場合には、補助熱交換器９内において液冷媒の蒸発を終了し難くなるので、冷媒の流量が少なくなることは避ける必要がある。そこで、室内温度Ｔinが第１基準温度Ｔ1(例えば２０℃)以下であり、且つ室外温度Ｔoutが第２基準温度Ｔ2(例えば２８℃)以上である場合には、上記目標蒸発温度に補正を加えて、膨張弁８を開き気味に制御して冷媒の流量を増やすのである。
【００４７】
ステップＳ4で、上記湿度センサ１９からの検知信号に基づいて、室内の湿度Ｈが基準湿度Ｈ1以上であるか否かが判別される。その結果、基準湿度Ｈ1以上である場合にはステップＳ5に進み、そうでない場合にはステップＳ6に進む。ステップＳ5で、湿度を噛みした第１目標蒸発温度ＨＥＴに、補正値ΔＴが加算される。そうした後に、ステップＳ7に進む。ステップＳ6で、湿度を噛みしない第２目標蒸発温度ＥＴに、補正値ΔＴが加算される。
【００４８】
ここで、上記目標蒸発温度に、湿度を噛みした第１目標蒸発温度ＨＥＴと湿度を噛みしない第２目標蒸発温度ＥＴとがあるのは、以下の理由による。すなわち、室内の湿度Ｈが高い場合には、室内機２に露が付くことがある。そこで、湿度Ｈが基準湿度Ｈ1(例えば８０％)以上である場合には、湿度Ｈに応じた温度だけ目標蒸発温度を高めに設定して、上記露付きを防止するのである。
【００４９】
尚、上記第１目標蒸発温度ＨＥＴと上記第２目標蒸発温度ＥＴとは、制御装置１４によって、室内温度センサ１６からの室内温度Ｔinと湿度センサ１９からの湿度Ｈを用いて演算される。
【００５０】
ステップＳ7で、上記圧縮機５の周波数Ｆが、上記基準周波数Ｆ0より大きいか否かが判別される。上記基準周波数Ｆ0より大きくなるとステップＳ10に進む一方、そうでなければステップＳ8に進む。ステップＳ8で、室内温度Ｔinが上記第１基準温度Ｔ1よりも高いか否かが判別される。その結果、第１基準温度Ｔ1より高い場合にはステップＳ9に進む一方、そうでなければステップＳ7にリターンする。ステップＳ9で、室外温度Ｔoutが上記第２基準温度Ｔ2より低いか否かが判別される。その結果、第２基準温度Ｔ2より低い場合にはステップＳ10に進む一方、そうでなければステップＳ7にリターンする。
【００５１】
ステップＳ10で、上記ステップＳ4における判別結果が、「湿度Ｈ≧基準湿度Ｈ1」であったか否かが判別される。その結果、基準湿度Ｈ1以上であった場合にはステップＳ11に進む一方、そうでなければステップＳ12に進む。ステップＳ11で、湿度を噛みした第１目標蒸発温度ＨＥＴから上記補正値ΔＴが減算される。そうした後に、ステップＳ1にリターンする。ステップＳ12で、湿度を噛みしない第２目標蒸発温度ＥＴから上記補正値ΔＴが減算される。そうした後に、ステップＳ1にリターンする。
【００５２】
こうして、上記圧縮機５の周波数Ｆが上記基準周波数Ｆ0より大きくなった場合、または、室内温度Ｔinが上記第１基準温度Ｔ1より高く且つ室外温度Ｔoutが上記第２基準温度Ｔ2より低くなった場合に、上記補正後の第１目標蒸発温度ＨＥＴまたは補正後の第２目標蒸発温度ＥＴが、夫々補正前の目標蒸発温度に戻されるのである。
【００５３】
以下、上記ステップＳ1〜ステップＳ12を繰り返し、上記リモコン２０から除湿運転解除指令または運転停止指令があると、目標蒸発温度補正処理動作が終了される。
【００５４】
上記目標蒸発温度の補正値ΔＴは定数であり、上記制御装置１４によって、目標蒸発温度の上記マージンよりも小さい値(低い温度)に設定される。例えば、露点温度が１８℃に対して８℃のマージンを付けて目標蒸発温度が１０℃に設定されている場合には、補正値ΔＴを４℃(＜８℃)として目標蒸発温度を１４℃に補正するのである。その場合には、４℃のマージンが残るので、目標蒸発温度を補正しても除湿は可能である。
【００５５】
以上のごとく、本実施の形態においては、上記室内機２の室内熱交換器４を、補助熱交換器９と主熱交換器１０とを含んで構成する。そして、補助熱交換器９を空気流に対して主熱交換器１０よりも上流側に配置している。
【００５６】
上記制御装置１４は、上記除湿運転モード時において、圧縮機５の周波数を上記負荷に応じて制御し、上記膨張弁８の開度を、上記蒸発温度センサ１５で検知された蒸発温度が第１目標蒸発温度ＨＥＴまたは第２目標蒸発温度ＥＴになるように制御する。こうして、補助熱交換器９における液冷媒入口近くの一部が蒸発域であり、上記蒸発域の下流側が過熱域となるように制御される。
【００５７】
その際に、上記圧縮機５の周波数Ｆが基準周波数Ｆ0以下であり、且つ室内温度Ｔinが第１基準温度Ｔ1以下であって室外温度Ｔoutが第２基準温度Ｔ2以上である場合には、第１目標蒸発温度ＨＥＴまたは第２目標蒸発温度ＥＴに、補正値ΔＴを加算するようにしている。
【００５８】
したがって、上記膨張弁８は目標蒸発温度の補正前よりも開き気味に制御されることになり、冷媒の流量が増すことによって、上記パルスモータによる膨張弁８の開度制御を容易にすることができるのである。その結果、上記パルスモータを１パルス開いただけで上記蒸発温度が上記目標蒸発温度を上回り、逆に１パルス絞っただけで上記蒸発温度が上記目標蒸発温度を下回るという、所謂ハンチングが起こるのを防止することができる。
【００５９】
また、上記室内温度Ｔinが第１基準温度Ｔ1以下であり、且つ室外温度Ｔoutが第２基準温度Ｔ2(＞Ｔ1)以上である場合には、冷媒の流量が少なく、膨張弁８が絞られた状態になる。しかしながら、その場合にも上記目標蒸発温度ＨＥＴ,ＥＴに補正を加えるので、膨張弁８を開き気味に制御して冷媒の流量を増やすことができ、補助熱交換器９内に湿り域を設けることが可能になる。その結果、膨張弁８の開度制御時にハンチングが発生するのを抑制することできるのである。
【００６０】
尚、上記実施の形態においては、上記圧縮機５の周波数Ｆが基準周波数Ｆ0以下であることと、室内温度Ｔinが第１基準温度Ｔ1以下であって且つ室外温度Ｔoutが第２基準温度Ｔ2以上であることとが、両立する場合に、上記目標蒸発温度ＨＥＴ,ＥＴに補正値ΔＴを加算するようにしている。
【００６１】
しかしながら、この発明はこれに限定されるものではなく、圧縮機５の周波数Ｆが基準周波数Ｆ0以下であることのみが成立した場合に、上記目標蒸発温度ＨＥＴ,ＥＴに補正値ΔＴを加算しても差し支えない。
【００６２】
さらに、上記圧縮機５の周波数Ｆが基準周波数Ｆ0以下であることと、室内温度Ｔinが第１基準温度Ｔ1以下であることとが成立した場合、または、圧縮機５の周波数Ｆが基準周波数Ｆ0以下であることと、上記室外温度Ｔoutが第２基準温度Ｔ2以上であることとが成立した場合に、上記目標蒸発温度ＨＥＴ,ＥＴに補正値ΔＴを加算しても構わない。
【００６３】
また、上記実施の形態においては、上記目標蒸発温度ＨＥＴ,ＥＴの補正値ΔＴを固定値としている。しかしながら、この発明はこれに限定されるものではなく、湿度センサ１９によって検知される室内の雰囲気の湿度Ｈに応じて補正値ΔＴを変化させても差し支えない。
【００６４】
例えば、上記露点温度が１８℃であり、目標蒸発温度が１０℃である場合に、上記実施の形態では、補正値ΔＴを４℃とし、補正目標蒸発温度を１４℃としている。ところが、湿度Ｈが高い場合には露点温度が２０℃と高まるので、その分を見越して補正値ΔＴを６℃として、補正目標蒸発温度を１６℃とするのである。こうすれば、さらに冷媒の流量が上がって、上記ハンチングをさらにし難くできる。これに対し、湿度Ｈが低い場合には露点温度が低まるので、補正値ΔＴを４℃ではなく２℃程度に低めて、補正目標蒸発温度を１２℃とするのである。こうして、補正目標蒸発温度が露点温度より高くなることが防止される。
【符号の説明】
【００６５】
１…空気調和機
２…室内機
３…室外機
４…室内熱交換器
５…圧縮機
６…四方弁
７…室外熱交換器
８…膨張弁
９…補助熱交換器
１０…主熱交換器
１０a…前面熱交換器
１０b…背面熱交換器
１１…室内ファン
１１a…ファンモータ
１２…吸込口
１３…吹出口
１４…制御装置
１５…蒸発温度センサ
１６…室内温度センサ
１７…室内熱交換器温度センサ
１８…室外温度センサ
１９…湿度センサ
２０…リモコン
【図１】
2016085016.tif 000003
【図２】
2016085016.tif 000004
【図３】
2016085016.tif 000005
【図４】
2016085016.tif 000006
【図５】
2016085016.tif 000007